(57)【要約】【課題】  肥料散布機における水平回転するスピンナによる散布部において、より肥料の放出距離を大きくして散布巾を広くする。【解決手段】  肥料ホッパーと、この肥料ホッパーの下方には繰り出し口と、繰り出し口には肥料の繰出量を調節するシャッタ板が設けられ、その繰出口の下方には水平方向に回転するスピンナを有した散布部を配したトラクタに装着する肥料散布機である。前記スピンナには、その上面に立設した羽根を有するとともに、その回転中心から外縁に向けて次第に椀状にあるいは円錐状にセリ上げた形状をしたことを特徴としたもので、スピンナに落下した肥料は次第に椀状にあるいは円錐状にセリ上げた形状の表面に沿って上方に放物線状に放出されて飛散距離を大きくする。【選択図】      図２
2006254752.tif 000002
【特許請求の範囲】
【請求項１】
肥料ホッパーと、肥料ホッパーの下方には繰り出し口と、繰り出し口には肥料の繰出量を調節するシャッタ板が設けられ、その繰出口の下方には、水平方向に回転するスピンナを有した散布部を配したトラクタに装着する肥料散布機において、前記スピンナには、その上面に立設した羽根を有するとともに、その回転中心から外縁に向けて次第に椀状あるいは円錐状にセリ上げた形状としたことを特徴とした肥料散布機。
【請求項２】
請求項１記載の肥料散布機であって、そのスピンナの上面に設けた羽根が回転方向に向けて開放した断面チャンネル状で先端がスピンナの外縁より突出していることを特徴とした肥料散布機。
【請求項３】
請求項２記載の肥料散布機であって、断面チャンネル状の羽根の立設面に適宜に切欠孔を設けたことを特徴とした肥料散布機。
【発明の詳細な説明】
【技術分野】
【０００１】
本発明は、肥料散布機の水平回転するスピンナによる散布部の構造に関するものである。
【背景技術】
【０００２】
肥料の散布が広範囲に、かつ、均平に散布しうる対向回転円板式の肥料散布機として、特開平１１-２２５５２４号公報（特許文献１）が知られる。この公報には「スピンナー４・４の上面に設けられる翼板４１・・・は、それの下縁に、スピンナー４・４の上面に沿う平板状の取付座板４１aが連続して形成してあって、全体としてアングル状に形成してあり、それの取付座４１aを、図７に示している如くアジテータ軸４０中心に放射状にスピンナー４の上面に配位し、スピンナー４の中心に寄る内端側と、周縁に寄る外端側とを、連結ピン４２・４３によりスピンナー４に連結することで装着するが、外端側の連結ピン４３は、スピンナー４に開設した連結穴４４に対し挿脱自在に組付け、かつ、その外端側の連結ピン４３が、内端側の連結ピン４２中心とする取付座板４１aの回動により画かれる回動軌跡上で、スピンナー４の回動方向に対し後方に位置する部位に開設しておく連結穴４４・・・に嵌挿して連結することで、翼板４１・・・がスピンナー軸４０中心とする放射方向に対し所定の後退角θを具備する状態に組付けられるようにしてある。
【０００３】
集肥部材５は、上述の一対のスピンナー４・４が、肥料ホッパーＨの底板２に開設した繰出穴２２・２２から繰出される肥料Ｍを、対向側の周縁部の上面に受け止めて遠心力および翼板４１・・・の抗力により機体枠１の後面側の散布口から振り出したときに、その肥料Ｍ・・・を所定の巾の流れに集合させるもので、前述のスピンナー４・４の翼板４１・・・に後退角θを具備せしめた状態時に、ステー７・７をセットボルト７０・７０により機体枠１に装脱自在に組付けることで装着する。」との技術が開示されている。
【特許文献１】特開平１１-２２５５２４号公報
【発明の開示】
【発明が解決しようとする課題】
【０００４】
近年、圃場の大規模化が進み、ますます散布作業のスピード化と効率化が要求されるが、前記したスピンナの上面に設けた翼板の放射方向に対して後退角の調整や単にスピンナの回転速度の増加のみでは肥料の散布到達距離にも限界があり、その散布巾の拡大は困難になっていた。
【課題を解決するための手段】
【０００５】
上記課題を解決するために、請求項１に記載した、肥料ホッパーと、肥料ホッパーの下方には繰り出し口と、繰り出し口には肥料の繰出量を調節するシャッタ板が設けられ、その繰出口の下方には、水平方向に回転するスピンナを有した散布部を配したトラクタに装着する肥料散布機において、前記スピンナには、その上部に立設した羽根を有するとともに、その回転中心から外縁に向けて次第に椀状あるいは円錐状にセリ上げた形状としたことを特徴とした肥料散布機である。
【０００６】
又、請求項２に記載した、請求項１記載の肥料散布機であって、そのスピンナの上面に設けた羽根が回転方向に向けて開放した断面チャンネル状で先端がスピンナの外縁より突出していることを特徴とした肥料散布機である。
又、請求項３に記載した、請求項２記載の肥料散布機であって、断面チャンネル状の羽根の立設面に適宜に切欠孔を設けたことを特徴とした肥料散布機である。
【発明の効果】
【０００７】
以上のような構成にすることにより、従来公知のもの、例えば図７に示す表面がフラットなスピンナ６２０よりも散布巾を拡大することができたもので、請求項１においては特に、スピンナの中心から外縁に向けて次第に椀状あるいは円錐状にセリ上げた形状によって、繰り出し口から落下した肥料は遠心力を与えられながらセリ上げられてスピンナ外縁から上方に放物線を描いて放出される。このため従来の水平なスピンナに比較して到達点が遠くなり、その分散布巾が広まる。
又、請求項２においては羽根が回転方向に向けて開放した断面チャンネル状で先端がスピンナの外縁より突出しているので、肥料がチャンネル形状の立設面と上面に抱持されて外方へ移動して、その突出した先端から放出されるので、所定の重量を有する肥料は従来より遠心力が大きくなって到達点が大きくなる。
又、請求項３において、断面チャンネル状の羽根の立設面に適宜に切欠孔を設けたので、チャンネル内を抱持されながら移動する肥料の一部が切欠孔を通過し、その肥料の遠心力は小さくなって、その到達点は分散され、幅方向に対する散布精度が向上する。
【発明を実施するための最良の形態】
【０００８】
以下、本発明の実施形態を図面に基づいて説明する。図１は本発明の実施例を示す肥料散布機の全体斜視図、図２は本発明の実施例を示す肥料散布機の横断面図、図３は同肥料散布機の繰出口及び散布部の上面図、図４は同肥料散布機の繰出口及び散布部の部分断面側面図、図５は同肥料散布機に備えた散布部のスピンナ斜視図、図６はスピンナの作用を示す断面図及び図７は従来のスピンナ作用を示す側面図を示している。
【０００９】
図１において、全体の構成を説明する。機体フレーム１前方には、トラクタに装着するロアピン１１とトップブラケット１２があり、肥料散布機はトラクタから駆動力を入力軸３０に伝達され駆動する。
【００１０】
シャッタ開閉装置５４は、左右に配置された散布部６に肥料の供給を調節するシャッタをそれぞれ作動させ、肥料ホッパー２に入れた肥料はシャッタを開くと散布部６に供給され散布される。
【００１１】
８1はコントロールボックスで、図示されていないがトラクタ座席近傍に配置され、シャッタ開閉装置５４を作業者が指示作動させる遠隔操作装置である。メインスイッチ８１ａをＯＮすると、シャッタ開度制御装置が作動可能となり、開度設定ダイヤル８１ｂ，８１ｂでシャッタ開度を設定し、シャッタ開閉スイッチ８１ｃをＯＮにすると設定した開度にシャッタはそれぞれ開かれる。シャッタ開閉スイッチ８１ｃをＯＦＦすると、開度設定ダイヤル８１ｂ，８１ｂが開状態であっても、シャッタ板はそれぞれ全閉となる。
【００１２】
シャッタが閉じているときはシャッタ全閉ランプ８１ｄ，８１ｄが、シャッタが設定した開度に開いたときはシャッタ開ランプ８１ｅ，８１ｅがそれぞれ点燈する。このシャッタ開閉スイッチ８１ｃを設けることにより、枕地旋回時や肥料の補給時など散布作業を一時中断する場合に、シャッタ開度設定ダイヤル８１ｂを「０」に戻すことなく散布作業を停止することが可能となる。
【００１３】
図２から図４において、本発明を実施した肥料散布機の断面図を示し説明する。機体フレーム１と、上方に配設される肥料ホッパー２をホッパーフレーム２１で支持し固定する。機体フレーム１内の前方に入力軸３０と出力軸３１を有した減速機３を配設し、入力軸３０の回転力は減速機３内のベベルギヤ３ａにより垂直方向へ変換され、平歯車３ｂにより減速され出力軸３１へ伝達される。
【００１４】
肥料ホッパー２の底部に配設された底板４に繰出口４１を開設し、それにシャッタ板５１を摺動するように配置し、シャッタレバー５２を回動させ、リンクロット５３ａとリンクアーム５３ｂおよびシャッタリンク５３を介しシャッタ板５１を開閉させ、肥料繰出量を調節する。
【００１５】
５４はシャッタ開閉装置で、前記機体フレーム１の前方上部に配置される。シャッタ開閉装置５４は、前記シャッタ板５１の開閉作動を電気的に行うもので、モータギヤ５４ａを備えた電動モータＭとモータギヤ５４ａと噛合し、水平方向に軸支されたシャッタギヤプレート５４ｂを有し、このシャッタギヤプレート５４ｂはシャッタレバー５２と連動して動き、リンクロット５３ａとリンクアーム５３ｂおよびシャッタリンク５３を介して、シャッタ板５１を作動させる。
【００１６】
８はシャッタ開度制御装置で、前記コントロールボックス８１からの指示により、シャッタ開閉装置５４を作動させるための制御回路が組み込まれていて、シャッタギヤプレート５４ｂの回動軸にはポテンショメータ８２が組み込まれており、シャッタギヤプレート５４ｂの回動量情報をシャッタ開度制御装置８に伝える。
【００１７】
肥料繰出口４１から繰り出される肥料は、傾斜板６１を介し回転する散布部６に落下し散布される。
散布部６は、左右一対に配置されて水平方向に回転するスピンナ６２を有する。スピンナ６２は縦軸６５によって回転される。６３の羽根はスピンナ６２の上面に配置され、回転する縦軸６５から放射方向に向けて着脱自在に、且つ、投てき角度（後退角）調整自在に取り付けられている。羽根６３はコ字状チャンネル断面を有し、下面がスピンナ６２の上面に当接され回転方向に開放側を向けて固着される。
【００１８】
７は混合装置で、回転軸７１と回転軸７１の中間部に放射状に伸ばした板、放射板７２を配設し、回転軸７１の上端部に回転軸中心からオフセットした位置により放射方向に突出させて、下方に向け屈曲させた一対のアーム右７３とアーム左７４を設けている。アーム右７３はホッパー底面に近接する部分に配設される混合板７５に向けて伸ばし下端で接合し、アーム右７４は、前記放射板７２の上面に配設した混合板７５に向けて伸ばし下端で接合されたものから構成され、出力軸３１に嵌挿される。
【００１９】
図５と図６に基づいて散布部６を構成するスピンナ６２について詳説する。
縦軸６５を中心に回転するスピンナ６２は、回転中心から外縁に向けて次第に椀状あるいは円錐状にせり上げた形状を示す。図６はスピンナ６２の断面を示したもので、回転するスピンナ６２の表面に落下した肥料は遠心力を与えられながらセリ上げられてスピンナ６２の外縁から
上方に放物線を描いて放出されるので到達点が遠くなる。
【００２０】
図５に示すスピンナ６２の上面に設置された断面コ字状でチャンネル状の羽根は、スピンナ６２の外縁より突出して設置され、立設面に切欠孔６４が設けられている。回転するスピンナ６２に落下してくる肥料は外縁へ向けて移動し、一部は羽根６３のチャンネル状の内部に移動し、立設面を上面によって抱持されて外縁へ移動し、その突出した先端から放出されるので所定重量の肥料は遠心力が加速されて到達点が遠くなって散布巾が広まる。
【００２１】
羽根６３の立設面に切欠孔６４を設けたのでチャンネル状の羽６３内部を抱持移動されながら、一部の肥料は切欠孔６４を通過して放出される。
切欠孔６４は羽６３外縁より回転中心から近い位置にあるので遠心力は小さくなり到達点も短くなり巾方向に対して分散され散布精度が向上する。
【図面の簡単な説明】
【００２２】
【図１】本発明の実施例を示す肥料散布機の全体斜視図
【図２】本発明の実施例を示す肥料散布機の横断面図
【図３】同肥料散布機の繰出口及び散布部の上面図
【図４】同肥料散布機の繰出口及び散布部の部分断面側面図
【図５】同肥料散布機に備えた散布部のスピンナ斜視図
【図６】スピンナの作用を示す断面図
【図７】従来のスピンナ作用を示す側面図
【符号の説明】
【００２３】
１      機体フレーム
１１    ロアピン
１２    トップブラケット
２      肥料ホッパー
２１    ホッパーフレーム
３      減速機
３０    入力軸
３１    出力軸
３ａ    ベベルギヤ
３ｂ    平歯車
４      底板
４１    繰出口
５１    シャッタ板
５２    シャッタレバー
５３    シャッタリンク
５３ａ  リンクロット
５３ｂ  リンクアーム
５４    シャッタ開閉装置
５４ａ  モータギヤ
５４ｂ  シャッタギヤプレート
６      散布部
６１    傾斜板
６２    スピンナ
６３    羽根
６４    切欠孔
６５    縦軸
７      混合装置
７１    回転軸
７２    放射板
７３    アーム右
７４    アーム左
７５    混合板
８      シャッタ開度制御装置
８１    コントロールボックス
８１ａ  メインスイッチ
８１ｂ  シャッタ開度設定ダイヤル
８１ｃ  シャッタ開閉スイッチ
８１ｄ  シャッタ全閉ランプ
８１ｅ  シャッタ開ランプ
８２    ポテンショメータ
Ｍ      電動モータ
【図１】
2006254752.tif 000003
【図２】
2006254752.tif 000004
【図３】
2006254752.tif 000005
【図４】
2006254752.tif 000006
【図５】
2006254752.tif 000007
【図６】
2006254752.tif 000008
【図７】
2006254752.tif 000009